(57)【要約】【課題】  隠し文字によって、ユーザの興味を惹き、使用時に特別な楽しさを与えることができる印刷物を提供する。【解決手段】  絵本１の各頁を構成するシート２を、光源に翳すと裏面が透けて見える程度の光を透過できる紙によって形成する。シート２の裏面に、絵本のストーリーである隠し文字３を、シート２と同じ色で印刷する。隠し文字３を、光源に翳した場合に、表面側から正常に読み取れるように、反転させた逆さ文字（鏡文字）で印刷する。シート２の表面に、絵本の物語である絵４が印刷されている。絵４は、表面側から視認できるように、シート２と異なる色で印刷する。【選択図】  図３
0003109653.tif 000002
【実用新案登録請求の範囲】
【請求項１】
光を透過可能な材料により形成された印刷対象物の一方の面に、前記印刷対象物と同色で且つ前記印刷対象物よりも光の透過度が低くなる材料により、前記印刷対象物の他方の面から透かして見た場合に正常に読み取れる方向となるように、隠し文字が印刷され、
前記印刷対象物の他方の面に、前記印刷対象物と異なる色で文字若しくは図が印刷されていることを特徴とする印刷物。
【請求項２】
光を透過可能な材料により形成された印刷対象物の一方の面に、前記印刷対象物と同色で且つ前記印刷対象物よりも光の透過度が低くなる材料により隠し文字が印刷され、
前記印刷対象物の一方の面に、前記印刷対象物と異なる色で文字若しくは図が印刷されていることを特徴とする印刷物。
【請求項３】
前記印刷対象物は、複数枚が綴られたシート状であり、
前記隠し文字は、物語の文章若しくは台詞であることを特徴とする請求項１又は請求項２記載の印刷物。
【請求項４】
前記シート状の印刷対象物は、互いに着脱自在に設けられていることを特徴とする請求項３記載の印刷物。
【請求項５】
前記印刷対象物は、記録媒体の収納容器内に収容されており、
前記隠し文字は、前記収納容器に収納される記録媒体に記録された内容に関する情報であることを特徴とする請求項１又は請求項２記載の印刷物。
【請求項６】
前記隠し文字は、前記記録媒体に記録された歌の歌詞であることを特徴とする請求項５記載の印刷物。
【請求項７】
前記印刷対象物は、商品を収容する容器であり、
前記隠し文字は、前記容器に前記商品を収容した場合に外部から視認できなくなる位置に印刷されていることを特徴とする請求項１又は請求項２記載の印刷物。
【請求項８】
前記隠し文字は、くじに関する情報であることを特徴とする請求項７記載の印刷物。
【請求項９】
前記印刷対象物の一方の面には、粘着物が貼付されていることを特徴とする請求項１又は請求項２記載の印刷物。
【考案の詳細な説明】
【技術分野】
【０００１】
本考案は、例えば、文字情報を透かした場合にのみ視認できる隠し文字を印刷した印刷物に関する。
【背景技術】
【０００２】
一般的な印刷物は、紙等の印刷対象物の表面に、インクによって文字や図が印刷されたものであり、凸版、凹版、平版（オフセット）、孔版など、古くからさまざまな方法による印刷が行われている。特に、最近では、このようなコンピュータの発達、普及とともに、インクジェットプリンタ、レーザプリンタ等の家庭用の印刷機においても、高品質な印刷を行うことができ、印刷物を手軽に作成できるようになっている。
【０００３】
ところで、通常の印刷物は、表面から視認できるように、印刷面と異なる色によって文字や図を印刷したものであるが、これとは逆に、表面から視認できないように、標章を印刷したいわゆる透かしの技術も存在する。例えば、特許文献１には、印刷面と同一の色によって標章を印刷することにより、偽造防止を図った帳票用紙が提案されている。
【特許文献１】特開２００１−２６１７７号公報
【考案の開示】
【考案が解決しようとする課題】
【０００４】
しかしながら、上記のような従来の透かしの技術は、単に、偽造防止を図るために行われているに過ぎず、その用途も、偽造防止が必要な帳票等に限られていた。また、透かしとして印刷されるのは、偽造防止のために必要となる標章に限られていた。つまり、その印刷物を使用するユーザにとっては、通常は、帳票にどのような透かしが入っているかは問題ではなかった。
【０００５】
本考案は、上記のような従来技術の問題点を解決するために提案されたものであり、その目的は、隠し文字によって、ユーザの興味を惹き、使用時に特別な楽しさを与えることができる印刷物を提供することにある。
【課題を解決するための手段】
【０００６】
以上のような目的を達成するために、請求項１の考案は、光を透過可能な材料により形成された印刷対象物の一方の面に、前記印刷対象物と同色で且つ前記印刷対象物よりも光の透過度が低くなる材料により、前記印刷対象物の他方の面から透かして見た場合に正常に読み取れる方向となるように、隠し文字が印刷され、前記印刷対象物の他方の面に、前記印刷対象物と異なる色で文字若しくは図が印刷されていることを特徴とする。
【０００７】
請求項２の考案は、光を透過可能な材料により形成された印刷対象物の一方の面に、前記印刷対象物と同色で且つ前記印刷対象物よりも光の透過度が低くなる材料により隠し文字が印刷され、前記印刷対象物の一方の面に、前記印刷対象物と異なる色で文字若しくは図が印刷されていることを特徴とする。
【０００８】
以上のような請求項１及び請求項２の考案では、通常の状態では、印刷対象物と同色で見ることができない隠し文字を、透かして読むことができるので、印刷対象物を使用するユーザの興味を惹き、通常の印刷物とは異なる楽しさを与えることができる。
【０００９】
請求項３の考案は、請求項１又は請求項２の印刷物において、前記印刷対象物は、複数枚が綴られたシート状であり、前記隠し文字は、物語の文章若しくは台詞であることを特徴とする。
以上のような請求項３の考案では、通常の状態では読めない隠し文字による本として使用することができるので、ユーザの興味を惹き、通常の本とは異なる楽しさを与えることができる。
【００１０】
請求項４の考案は、請求項３の印刷物において、前記シート状の印刷対象物は、互いに着脱自在に設けられていることを特徴とする。
以上のような請求項４の考案では、隠し文字を透かして読む際には、各シートを取り外すことができるので、光源等に翳す際に便利である。
【００１１】
請求項５の考案は、請求項１又は請求項２の印刷物において、前記印刷対象物は、記録媒体の収納容器内に収容されており、前記隠し文字は、前記収納容器内に収納される記録媒体に記録された内容に関する情報であることを特徴とする。
以上のような請求項５の考案は、記録媒体の収納容器内に収容された印刷対象物に、記録媒体に記録された内容に関する情報が、隠し文字として印刷されているので、これを知らない者に対して、情報を隠蔽することができる。
【００１２】
請求項６の考案は、請求項５の印刷物において、前記隠し文字は、前記記録媒体に記録された歌の歌詞であることを特徴とする。
以上のような請求項６の考案は、光源に翳すことによってのみ、ＣＤやＭＤ等の記録媒体に記録された歌の歌詞を読むことができるので、ユーザの興味を惹き、通常のＣＤやＭＤ等とは異なる楽しさを与えることができる。
【００１３】
請求項７の考案は、請求項１又は請求項２の印刷物において、前記印刷対象物は、商品を収容する容器であり、前記隠し文字は、前記容器に前記商品を収容した場合に外部から視認できなくなる位置に印刷されていることを特徴とする。
以上のような請求項７の考案は、商品を取り出した後に、容器を光源に翳すと、隠し文字を読むことができるので、ユーザの興味を惹き、通常の商品とは異なる楽しさを与えることができる。
【００１４】
請求項８の考案は、請求項７の印刷物において、前記隠し文字は、くじに関する情報であることを特徴とする。
以上のような請求項８の考案では、商品を消費した後に、容器を光源に翳すと、隠し文字であるくじを楽しむことができるので、ユーザの購買を促すことができる。
【００１５】
請求項９の考案は、請求項１又は請求項２の印刷物において、前記印刷対象物の一方の面には、粘着物が貼付されていることを特徴とする。
以上のような請求項９の考案では、印刷対象物を、窓ガラス等に貼り付けることによって、文字が透けて見えるシールとして楽しむことができる。
【考案の効果】
【００１６】
以上のような本考案によれば、隠し文字によって、ユーザの興味を惹き、使用時に特別な楽しさを与えることが可能な印刷物を提供することができる。
【考案を実施するための最良の形態】
【００１７】
［第１の実施形態］
［構成］
本実施形態は、図１に示すように、本考案を絵本１に適用したものである。この絵本１の各頁を構成するシート２は、光源に翳すと裏面が透けて見える程度の光を透過できる紙によって形成されている。そして、シート２の裏面には、図２及び図３に示すように、絵本のストーリーである隠し文字３が、シート２と同じ色で印刷されている。印刷に用いられるインクは、紙よりも透過度の低いインクが用いられている。これにより、光源に翳さない限り、表面から見ても、裏面から見ても、隠し文字３は視認し難くなっている。また、隠し文字３は、光源に翳した場合に、表面側から正常に読み取れるように、反転させた逆さ文字（鏡文字）で印刷されている。
【００１８】
一方、シート２の表面には、図２及び図３に示すように、絵本の物語である絵４が印刷されている。この絵４は、表面側から視認できるように、シート２と異なる色で印刷されている。この印刷に用いられるインクは、どのような透過度であってもよいが、隠し文字３と重なる部分に関しては、透過度が高いものが好ましい。これにより、光源に翳したシート２を表面側から見ると、図３に示すように、裏面に印刷した文字３が透けて見える。なお、絵４には、例えば、着色材に染料を使ったいわゆる「透明インク」を用い、隠し文字３には、着色材に顔料を使ったいわゆる「不透明インク」を用いることが考えられるが、隠し文字３を透かして視認できる材料であれば、これには限定されない。
【００１９】
このようなシート２は、絵本１として成立するように、図１に示すように、必要な枚数が重ねられ、表裏の表紙が付されて製本されている。なお、各シート２は、背表紙となる一辺において、着脱自在となるように綴じられていてもよい。例えば、綴じるための部材としては、図４に示すように、断面が略コの字状のクリップ５を用いる他、図５に示すように、シート２に形成された孔にリング６を通すこと等が考えられるが、着脱自在な構成であればよく、特定の態様には限定されない。各シート２の一辺の縁部に、着脱自在な粘着性の材料を塗布して、互いに貼り付けておくようにしてもよい。
【００２０】
［作用効果］
以上のような本実施形態によれば、絵本１を読む際には、表面を手前にして、照明や日光等の光源に翳す。すると、図３に示すように、裏面に印刷された隠し文字３が透けて見えるので、物語を読むことができる。このように、通常の状態では読めない隠し文字３による本として使用することができるので、ユーザの興味を惹き、通常の本とは異なる楽しさを与えることができる。特に、本実形態は絵本１であるため、子供も大人も楽しむことができる。さらに、シート２を着脱自在とした場合には、シート２を取り外して一枚一枚手に持って光源に翳すことができるので、便利となる。
【００２１】
［第２の実施形態］
［構成］
本実施形態は、図６に示すように、本考案をＣＤのケース（容器）１０に収容されたジャケット１１に適用したものである。ジャケット１１は、光源に翳すと裏面が透けて見える程度の光を透過できる紙によって形成されている。そして、ジャケット１１の裏面には、ＣＤに収録された歌の歌詞１３が、上記の第１の実施形態における隠し文字３と同様の手法で印刷されている。
【００２２】
一方、ジャケット１１の表面には、各種のデザイン１４が印刷されている。このデザイン１４は、店頭販売時等にケース１０の表面側から視認できるように、、上記の第１の実施形態における絵４と同様の手法で印刷されている。このようなジャケット１１は、ケース１０の内側に合わせて一部を折った状態で、ケース１０内に収容されている。なお、ケース１０は、一般的には透明な樹脂製のケースであるが、内部が視認できるものであればよく、特定の材質には限定されない。
【００２３】
［作用効果］
以上のような本実施形態によれば、ＣＤを聞く際に、ケース１０を開いて、表面を手間にして、照明や日光等の光源に翳す。すると、裏面に印刷された歌詞１３が透けて見えるので、歌詞１３を見ながら歌を聴くことができる。このように、通常の状態では読めない隠し文字による歌詞１３が含まれたＣＤのジャケット１１として使用することができるので、ユーザの興味を惹き、通常のＣＤとは異なる楽しさを与えることができる。さらに、光源に翳す作業も、ケース１０を開くだけでよいので、簡単である。
【００２４】
［第３の実施形態］
［構成］
本実施形態は、図７に示すように、本考案を商品である食品２１の容器２０に適用したものである。この容器２０の側面２２は、光源に翳すと裏面が透けて見える程度の光を透過できる紙によって形成されている。そして、側面２２の裏面には、くじの結果を示すくじ情報２３が、上記の第１の実施形態の隠し文字３と同様の手法で印刷されている。このくじ情報２３は、食品２１を容器２０に収容した場合に、外部から視認できなくなる位置に設けられている。さらに、側面２２には、商品を示すデザイン２４が、上記の第１の実施形態における絵４と同様の手法で印刷されている。
【００２５】
［作用効果］
以上のような本実施形態によれば、店頭での販売時等には、容器２０内に食品２１が収容されているので、光が透過されず、ユーザはくじ情報２３は見ることができない。そして、購入後のユーザが容器２０内の食品２１を取り出すと、照明や日光等の光源によって、裏面に印刷されたくじ情報２３が透けて見えるので、くじの結果を確認することができる。このように、通常の状態では読めない隠し文字によるくじ情報２３が含まれた容器２０として使用することができるので、ユーザの興味を惹き、通常の商品とは異なる楽しさを与えることができる。
【００２６】
［第４の実施形態］
［構成］
本実施形態は、図８〜１０に示すように、本考案をシール３０に適用したものである。このシール３０は、光源に翳すと裏面が透けて見える程度の光を透過できる紙によって形成されている。シール３０の裏面には、上記の第１の実施形態と同様の手法による隠し文字３２が印刷されている。また、シール３０の裏面には、粘着性の物質が塗布され、剥離紙等に貼付されている。さらに、シール３０の表面には、上記の第１の実施形態と同様の手法による絵３４が印刷されている。
【００２７】
［作用効果］
以上のような本実施形態によれば、剥離紙を剥がして、背後からの光源が得られる場所にシール３０を貼付することによって、隠し文字３２を見ることができる。例えば、図８に示すように、コンピュータのディスプレイ４０の表面に貼付すると、電源オフ時には、隠し文字３２が見えないが、起動すると、ＣＲＴ自体の光若しくはＬＣＤのバックライトの光によって、隠し文字３２が見える。
【００２８】
また、図９に示すように、団扇５０（扇子でもよい）の表面に、シール３０を貼付することによって、光源等に翳した場合に、隠し文字３２を見ることができる。さらに、図１０に示すように、照明器具の傘６０の表面に、シール３０を貼付することによって、ランプを発光させたときに、隠し文字３２を見ることができる。家屋や車の窓等に貼付しても同様である。このように、隠し文字３２が浮かび上がる効果を、様々な対象において楽しむことができる。
【００２９】
［他の実施形態］
本考案は、上記の実施形態に限定されるものではない。すなわち、請求項に記載の文字は、あらゆる言語による文字、数字や記号を広く含むものである。文字による情報内容についても、例えば、表題、文章、台詞、作者名、出版社名、アーティスト名、サイン、隠れメッセージ、くじ情報、占い情報、広告情報、個人や法人その他の団体を識別する各種の情報（住所、氏名、性別、年齢、職業、電話番号、メールアドレス等）が考えられるが、これに限定するものではない。また、請求項に記載の図には、図形、図柄、絵、写真、キャラクター、アイコン等を広く含むものである。
【００３０】
印刷対象物としては、書籍、絵本、漫画、新聞、雑誌、パンフレット等の各ページ、チラシ、チケット、カルテ、カードゲームのカードなど、あらゆるものが考えられる。飲食店におけるメニューに本考案を適用することも可能である。かかる場合には、隠し文字として、隠れメニューや広告情報を含ませることができる。記録媒体としては、ＣＤには限定されず、ＭＤ、ＤＶＤ等、現在または将来において利用可能なあらゆるものが含まれる。容器に収容される商品は、食品には限定されない。本考案は、あらゆる商品の容器に適用可能である。
【００３１】
さらに、隠し文字の印刷の手法としては、上記の実施形態のように、隠し文字を印刷対象物の裏面に印刷して、絵等を印刷対象物の表面に印刷する以外に、隠し文字及び絵等ともに印刷対象物の同一面に印刷してもよい。隠し文字、図、印刷対象物のそれぞれの材質についても、上記の機能を発揮できるものであれば、どのようなものを用いてもよい。印刷対象物として、紙ではなく、光の透過性のある樹脂を用いてもよい。
【図面の簡単な説明】
【００３２】
【図１】本考案の第１の実施形態を示す斜視図である。
【図２】図１の実施形態のシートを示す断面図である。
【図３】図１の実施形態の利用態様を示す説明図である。
【図４】図１の実施形態のクリップによる綴り状態を示す斜視図である。
【図５】図１の実施形態のリングによる綴り状態を示す斜視図である。
【図６】本考案の第２の実施形態を示す斜視図である。
【図７】本考案の第３の実施形態を示す説明図である。
【図８】本考案の第４の実施形態の使用例を示す説明図である。
【図９】本考案の第４の実施形態の使用例を示す説明図である。
【図１０】本考案の第４の実施形態の使用例を示す説明図である。
【符号の説明】
【００３３】
１…絵本
２…シート
３，３３…隠し文字
４，３４…絵
５…クリップ
６…リング
１０…ケース
１１…ジャケット
１３…歌詞
１４，２４…デザイン
２０…容器
２１…食品
２２…側面
２３…くじ情報
３０…シール
４０…ディスプレイ
５０…団扇
６０…照明器具の傘
【図１】
0003109653.tif 000003
【図２】
0003109653.tif 000004
【図３】
0003109653.tif 000005
【図４】
0003109653.tif 000006
【図５】
0003109653.tif 000007
【図６】
0003109653.tif 000008
【図７】
0003109653.tif 000009
【図８】
0003109653.tif 000010
【図９】
0003109653.tif 000011
【図１０】
0003109653.tif 000012